(57)【特許請求の範囲】
【請求項１】
冷温水器または浄水器のクリーンウォーター排出装置において、
冷水容器と、
該冷水容器よりも小さな浄水槽であって、前記冷水容器の内部に入れて前記冷水容器の上部と前記浄水槽の上部で嵌め合わせることにより、前記冷水容器の内面と前記浄水槽の外面との間に、外部空気から遮断される冷水空間が形成される浄水槽と、
該浄水槽に収容される殺菌管であって、流入口は開放され、流出口は前記浄水槽を貫通して前記冷水空間に連結される殺菌管と、
該殺菌管の内部に位置する殺菌ランプと、
該殺菌ランプの外周面を螺旋状に取り囲み、前記流出口に連結される通過管と、を含み、
前記浄水槽に収容される飲用水が、前記流入口に流入し、前記通過管を経て前記流出口を通じて前記冷水空間に保存されることを特徴とする、クリーンウォーター排出装置。
【請求項２】
冷温水器または浄水器のクリーンウォーター排出装置において、
冷水容器と、
該冷水容器よりも小さな浄水槽であって、前記冷水容器の内部に入れて前記冷水容器の上部と前記浄水槽の上部で嵌め合わせることにより、前記冷水容器の内面と前記浄水槽の外面との間に、外部空気から遮断される冷水空間が形成される浄水槽と、
該浄水槽に収容される殺菌管であって、流入口は開放され、流出口は前記浄水槽を貫通して前記冷水空間に連結される殺菌管と、
該殺菌管の内部に位置する殺菌ランプと、を含み、
前記浄水槽に収容される飲用水が、前記流入口に流入し、前記流出口を通じて前記冷水空間に保存されることを特徴とする、クリーンウォーター排出装置。
【請求項３】
前記殺菌管が前記浄水槽内に立設され、前記流入口は前記浄水槽の底に密着し、前記流入口には流入孔が形成され、前記飲用水が前記流入孔を通じて前記殺菌管に流入し、前記流出口が前記流入口よりも上方に位置することを特徴とする、請求項１又は２に記載のクリーンウォーター排出装置。
【発明の詳細な説明】
【技術分野】
【０００１】
本発明は冷温水器または浄水器のクリーンウォーター排出装置に関するもので、冷水容器に浄水槽が嵌め合わせられ、冷水容器と浄水槽との間に形成される空間には殺菌管によって殺菌処理された飲用水のみが保存されて冷却されるので、使用者がいつも殺菌処理されたきれいな冷水を飲むことができるクリーンウォーター排出装置に関するものである。
【背景技術】
【０００２】
冷温水器は家庭や事務室または飲食業所に備えられて冷水や温水を簡便に提供する給水装置で、フィルターで濾過させた浄水、あるいは生水容器から提供された水を加熱して温水を提供するとか、冷却して冷水を提供する。
【０００３】
一般的な冷温水器は、図１に示すように、ケース２内の上部に冷水容器５が形成され、ケース２内の中間部に温水容器７が形成される。冷水容器５は底部が閉鎖し上部が開放した円筒で、その外周面に冷却コイル６が巻き付けられ、開放した上部にはケース２の上端によって支持される生水容器１が装着される。温水容器７は底部と上部が共に閉鎖した円筒で、その外周面に加熱コイル８が巻き付けられ、その上部中心が連結管３を介して冷水容器５の底部中心に連結される。そして、冷水容器５と温水容器７のそれぞれの底部は連結管３を介して冷水バルブ５１及び温水バルブ５２にそれぞれ連結される。
【０００４】
また、温水容器７の底部には配水管４が連結され、この配水管４の末端部は普段には栓によって詰っており、温水容器７内の水を排出しようとするときに開放する。
【０００５】
前記温水容器７内の温水は加熱コイル８によってよほど高い温度まで加熱されるので細菌が繁殖し難い環境であるが、前記冷水容器５の上部は開放されているので、冷水容器５内の冷水がケース２内の空気と接触して冷水に細菌が繁殖することができる問題点があった。この際、冷水容器５に冷水が長時間保存されている場合には、細菌がより繁殖しやすい環境を提供するようになるものである。
【０００６】
また、生水容器１から排出された生水が冷水容器５内で冷却コイル６によって所定の程度に冷却された後、連結管３を通じて温水容器７に保存されるが、冷却された生水をさらに加熱しなければならないため、追加的な電力消耗が発生する問題点があった。
【発明の概要】
【発明が解決しようとする課題】
【０００７】
本発明は前記のような問題点を解決するためのもので、冷水容器に浄水槽が嵌め合わせられて冷水容器と浄水槽との間に形成される空間は密閉して外部空気と全然接触しないだけでなく、浄水槽に収容された殺菌管によって殺菌処理された飲用水のみが前記空間に保存されて冷却されるので、冷水が長時間保存されていても細菌繁殖のおそれがないクリーンウォーター排出装置を提供することにその目的がある。
【０００８】
また、既存の冷温水器や浄水器の冷水容器に本発明によるクリーンウォーター排出装置を簡便に締結することで、既存の冷温水器や浄水器の冷水容器において問題となった細菌繁殖を簡単に解決することができ、冷水容器の冷水が温水容器に供給されるものではなく、冷却されなかった浄水槽の飲用水が温水容器に供給されるので、飲用水の加熱に必要な電力を最小化することができるクリーンウォーター排出装置を提供することに他の目的がある。
【課題を解決するための手段】
【０００９】
前記のような目的を達成するために、本発明のクリーンウォーター排出装置は、冷温水器または浄水器のクリーンウォーター排出装置であって、冷温水器または浄水器のクリーンウォーター排出装置において、冷水容器と、該冷水容器よりも小さな浄水槽であって、前記冷水容器の内部に入れて前記冷水容器の上部と前記浄水槽の上部で嵌め合わせることにより、前記冷水容器の内面と前記浄水槽の外面との間に、外部空気から遮断される冷水空間が形成される浄水槽と、該浄水槽に収容される殺菌管であって、流入口は開放され、流出口は前記浄水槽を貫通して前記冷水空間に連結される殺菌管と、該殺菌管の内部に位置する殺菌ランプと、 該殺菌ランプの外周面を螺旋状に取り囲み、前記流出口に連結される通過管と、を含み、前記浄水槽に収容される飲用水が、前記流入口に流入し、前記通過管を経て前記流出口を通じて前記冷水空間に保存されることを特徴とする（請求項１）。好適な実施の一形態として、前記通過管を省略した態様も採用可能である（請求項２）。この場合、前記浄水槽に収容される飲用水は、前記流入口に流入し、前記流出口を通じて前記冷水空間に保存される。
【００１０】
他の好適な実施の一形態として、前記殺菌管が前記浄水槽内に立設され、前記流入口は前記浄水槽の底に密着し、前記流入口には流入孔が形成され、前記飲用水が前記流入孔を通じて前記殺菌管に流入し、前記流出口が前記流入口よりも上方に位置する態様とすることもできる（請求項３）。
【発明の効果】
【００１１】
本発明において、浄水槽の内部の飲用水は浄水槽に収容されている殺菌管を通じてだけ冷水容器と浄水槽との間に形成される空間に保存されるので、前記空間に供給される飲用水は全部殺菌処理され、前記空間は密閉されているので、外部空気と全然接触しなくて細菌繁殖のおそれがない冷水を飲むことができる効果がある。
【００１２】
また、既存の冷温水器や浄水器の冷水容器に本発明によるクリーンウォーター排出装置を簡便に締結することで、既存の冷温水器や浄水器の冷水容器において問題となった細菌繁殖を簡単に解決することができ、冷温水器や浄水器の入れ替えにかかる費用をよほど節減することができ、冷水容器の冷水が温水容器に供給されるのではなくて冷却されなかった浄水槽の飲用水が温水容器に供給されるので、冷水の加熱時に発生する追加の電力消耗を無くすことができ、殺菌管が浄水槽内で垂直に立設されている場合、飲用水が殺菌管の下部から流入して重力を克服して上部に流出されるので、飲用水が殺菌管内に留まる時間を増加させて殺菌力を極大化させることができる効果もある。
【図面の簡単な説明】
【００１３】
【図１】一般的な冷温水器の概略断面図である。
【図２】本発明のクリーンウォーター排出装置の分解斜視図である。
【図３】本発明の一実施例によるクリーンウォーター排出装置の断面図である。
【図４】本発明の他の実施例によるクリーンウォーター排出装置の断面図である。
【図５】本発明のさらに他の実施例によるクリーンウォーター排出装置の断面図である。
【図６】本発明の通過管が省略されたクリーンウォーター排出装置の断面図である。
【発明を実施するための形態】
【００１４】
本発明の好適な実施例を添付図面に基づいて詳細に説明する。本発明の説明において、関連した公知の構成または機能についての具体的な説明が本発明の要旨をあいまいにすると判断される場合には詳細な説明を省略する。
【００１５】
本発明の好適な実施例によるクリーンウォーター排出装置は、図２〜図５に示すように、冷温水器または浄水器のクリーンウォーター排出装置において、冷水容器５に嵌め合わせられ、前記冷水容器５との間に密閉した空間１５が形成され、密閉した前記空間１５に冷水が位置し、内部には飲用水が収容されている浄水槽１０；前記浄水槽１０に収容され、流入口２１は開放し、流出口２３は前記浄水槽１０を貫通して密閉した前記空間１５に連結される殺菌管２０；前記殺菌管２０の内部に位置する殺菌ランプ３０；及び前記殺菌ランプ３０の外周面を螺旋状に取り囲み、前記流出口２３に連結される通過管３２；を含み、前記浄水槽１０に収容されている前記飲用水は前記流入口２１に流入し、前記通過管３２を経て前記流出口２３を通じて前記冷水容器５に保存される。
【００１６】
内部に飲用水が収容されている浄水槽１０は冷水容器５に嵌め合わせられ浄水槽１０と冷水容器５との間に空間１５を形成する。空間１５には飲用水が冷却されて冷水として保存される。冷水容器５の内面と浄水槽１０の外面が締結される部分にはリング状のパッキング（図示せず）を締結することで、冷水容器５と浄水槽１０との間に形成される空間１５が外部空気から遮断されることができる。外部空気が遮断されれば、空気中に漂う細菌によって冷水が汚染されることを防止することができるものである。
【００１７】
浄水槽１０に収容されている飲用水は、冷温水器の場合に主に生水容器から供給されたものであり、浄水器の場合はフィルターを通過して浄水された水である。浄水槽１０の上部は開放しているので、外部空気と接触することになり、空気から飲用水に細菌が伝染して繁殖することができる。このような細菌繁殖を防止するために、浄水槽１０には殺菌ランプ３０が必要となり、殺菌ランプ３０の浸透距離が大きくないので、殺菌ランプ３０の浸透距離を考慮して殺菌管２０がさらに必要となる。
【００１８】
浄水槽１０に収容されている殺菌管２０は一側が開放して流入口２１を形成し、他側に形成される流出口２３は浄水槽１０を貫通して空間１５に連結される。このような構造によって浄水槽１０に収容されている飲用水が冷水容器５に保存されるためには必ず殺菌管２０を通過しなければならない。すなわち、浄水槽１０内の飲用水は流入口２１に流入して流出口２３を通じて冷水容器５に保存されるものである。
【００１９】
浄水槽１０内の飲用水に細菌が繁殖するとしても、殺菌管２０を通過しながら細菌は全部殺菌処理されるので、滅菌されたきれいな飲用水が空間１５に保存される。また、空間１５は外部空気から遮断されて細菌の浸透がないので、飲用水が冷水容器５で冷却されて長時間留まるとしても細菌繁殖のおそれはないものである。
【００２０】
殺菌管２０の内部には電源供給のために電源線３７が形成される殺菌ランプ３０が位置し、殺菌ランプ３０の浸透距離を考慮して殺菌管２０の直径が決定される。殺菌管２０の内周面と殺菌ランプ３０の外周面に形成される通過管３２は殺菌ランプ３０の外周面を螺旋状に取り囲み、流出口２３に連結される。すなわち、流入口２１に流入した飲用水は通過管３２を経て流出口２３を通じて冷水容器５に保存される。飲用水が殺菌ランプ３０の外周面を螺旋状に取り囲む通過管３２を通さなければならないので、飲用水が殺菌ランプ３０の周りに、より長時間留まることができるので、通過管３２が形成されていない場合より殺菌効果が大幅に向上するものである。
【００２１】
この際、通過管３２は石英管から製作され、紫外線が透過可能な材質であればいずれも使用することができ、通過管３２と流出口２３の連結を容易にするために、シリコンのようなフレキシブルな材質の連結管（図示せず）を使うこともできる。
【００２２】
浄水槽１０内に殺菌ランプ３０が形成されても殺菌ランプ３０から遠距離にある浄水槽１０内の飲用水は殺菌処理されない。しかし、浄水槽１０内の飲用水が冷水容器５に移動するためには、殺菌ランプ３０の浸透距離にある通過管３２を必ず通過しなければならないので、冷水容器３０に保存される飲用水をとても効果的に殺菌することができるものである。
【００２３】
また、殺菌管２０の流入口２１は下部に位置し、流出口２３は上部に位置するように殺菌管２０が垂直に立設されれば、飲用水が殺菌管２０の下部から流入して重力を克服して上部に流出されるので、飲用水が殺菌管２０内に留まる時間を増加させて殺菌力を極大化させることができる。
【００２４】
一方、流入口２１が浄水槽１０の底に密着する場合、流入口２１に流入孔２２を形成して、飲用水が流入孔２２を通じて殺菌管２０に流入するようにすることができる。浄水槽１０の一側に浄水槽１０と冷水容器５を貫通する排出管４０を形成して、排出管４０を通じて飲用水が温水容器にも保存されるようにすれば、冷水容器５の冷水が温水容器に保存される一般的な冷温水器より加熱のための消耗電力を節減させることができる。
【００２５】
図６は本発明の通過管が省略されたクリーンウォーター排出装置の断面図で、冷温水器または浄水器のクリーンウォーター排出装置において、冷水容器５に嵌め合わせられ、前記冷水容器５との間に密閉した空間１５が形成され、密閉した前記空間１５に冷水が位置し、内部には飲用水が収容されている浄水槽１０；前記浄水槽１０に収容され、流入口２１は開放し、流出口２３は前記浄水槽１０を貫通して密閉した前記空間１５に連結される殺菌管２０；及び前記殺菌管２０の内部に位置する殺菌ランプ３０；を含み、前記浄水槽１０に収容されている前記飲用水は前記流入口２１に流入し、前記流出口２３を通じて前記冷水容器５に保存される。
【産業上の利用可能性】
【００２６】
本発明は冷水容器に浄水槽が嵌め合わせられて冷水容器と浄水槽との間に形成される空間は密閉して外部空気と全然接触しないだけでなく、浄水槽に収容されている殺菌管によって殺菌処理された飲用水のみが前記空間に保存されて冷却されるので、冷水が長時間保存されていても細菌繁殖のおそれがないクリーンウォーター排出装置を提供することができる。
【図１】
0006014882.tif 000002
【図２】
0006014882.tif 000003
【図３】
0006014882.tif 000004
【図４】
0006014882.tif 000005
【図５】
0006014882.tif 000006
【図６】
0006014882.tif 000007